(57)【特許請求の範囲】
【請求項１】
全体の形状が細長い門形で、内側に案内長孔を備えると共に、扉枠の内面において、基端を鉛直軸の回りを回動可能に支承された連結杆と、扉の自由側端縁部内面に垂設され、回動可能に支承された支軸、及びこの支軸の内端に突設され、扉面とほぼ平行な係合片を有し、全体の形状がＴ字形に成形された受杆と、扉面においてこの受杆の支軸と同軸に装着されたシリンダ錠とを有し、連結杆を扉面に近接する方向に回動させたとき、受杆の係合片が連結杆の案内長孔を潜り抜けることができるように受杆と連結杆との相対関係位置を設定すると共に、支軸を遊動クラッチを介してシリンダ錠の内筒に連結し、ドアガードを室内側から作動させるとき、連結杆を扉面に近接する方向に回動させ、室外側から合鍵及びシリンダ錠の内筒を介して受杆の係合片を連結杆と交差する角度位置にまで回動させ、ドアガードを室内側から作動させるときには、手指により受杆の係合片を連結杆と交差する角度位置に迄回動させるようにしたことを特徴とする錠付ドアガード。
【発明の詳細な説明】
【０００１】
【発明の属する技術分野】
この発明は、錠付ドアガードに係り、特に、シリンダ錠及び合鍵を介して室外側から室内のドアガードの作動、及び解除を制御することができる錠付ドアガードに関する。
【０００２】
【従来の技術】
ドアガードは、例えば図１に示すように、扉１の自由側端縁部内面に垂直軸の回りを回動可能に設けられた細長い門形の連結杆２と、扉枠３の内面に設けられた膨出頭部４付の受杆５とを有している。
【０００３】
そして、使用時、扉１を閉鎖した状態で、連結杆２を起こしてその基端の幅広の挿通部６に受杆５の膨出頭部４を潜らせ、その状態で扉１を開けると、受杆５は連結杆の挿通部６に連設されたこれよりも幅か狭い案内長孔７と摺動可能に係合するに致る。
【０００４】
図１に示すドアガードの使用状態では、膨出頭部４の存在により連結杆２は受杆５との係合を解くことができないので、扉の開角度を一定以下に保つことができ、安全に来訪者の確認及び郵便物等の受け渡しをすることができる。
【０００５】
【発明が解決しようとする課題】
上記した従来のドアガードは、簡単な構造で、解錠状態における扉の開角度を一定以下に確実に保ち、もって来訪者の確認や郵便物の受け渡し等を行えるが、その機能は居住者が屋内に居るときにのみ発揮され、外出時には何の役にも立たない、という恨みが残る。
【０００６】
そこで、この発明は、シリンダ錠及び合鍵を介して室外側から室内のドアガードの作動、及び解除を制御することができる新規な錠付ドアガードを提供し、もって扉口の防犯上の安全性を向上させることを目的としている。
【０００７】
【課題を解決するための手段】
上記の目的を達成するため、この発明は、全体の形状が細長い門形で、内側に案内長孔を備えると共に、扉枠の内面において、基端を鉛直軸の回りを回動可能に支承された連結杆と、扉の自由側端縁部内面に垂設され、回動可能に支承された支軸、及びこの支軸の内端に突設され、扉面とほぼ平行な係合片を有し、全体の形状がＴ字形に成形された受杆と、扉面においてこの受杆の支軸と同軸に装着されたシリンダ錠とを有し、連結杆を扉面に近接する方向に回動させたとき、受杆の係合片が連結杆の案内長孔を潜り抜けることができるように受杆と連結杆との相対関係位置を設定すると共に、支軸を遊動クラッチを介してシリンダ錠の内筒に連結し、ドアガードを室内側から作動させるとき、連結杆を扉面に近接する方向に回動させ、室外側から合鍵及びシリンダ錠の内筒を介して受杆の係合片を連結杆と交差する角度位置にまで回動させ、ドアガードを室内側から作動させるときには、手指により受杆の係合片を連結杆と交差する角度位置に迄回動させるようにしたことを特徴とする。
【０００８】
【実施例】
以下、図２乃至図１１を参照して、この発明について説明する。
図２及び図３において符号２は連結杆を示し、この連結杆２は、従来のものと同様に、全体の形状が細長い門形で、内側に案内長孔７を形成すると共に、扉枠３の内面において、基端（図３において左端）を連結杆座８によって鉛直軸の回りを回動可能に支承されている。
【０００９】
なお、図示の実施例ではこの連結杆２の水平面への投影形状が略Ｊ字形に成形されている（図２参照）が、これはこの発明の必須の構成ではなく、図２に鎖線で示すように、このドアガードが作動するとき後述の受杆５との間に抉りが生じ難いようにしただけである。
【００１０】
一方、扉の自由側端縁部内面には図２及び図４に示すように、受杆５が回動可能に装着されている。
【００１１】
この受杆５は、扉１の内面に垂設され、回動可能に支承された支軸５１と、この支軸の内端に突設され、扉面とほぼ水平な係合片５２とを一体に形成した部材である。
【００１２】
図示の実施例では、この支軸の係合片５２は扉面に平行な棒状体の中央を支軸５１に結合した全体の形状がＴ字状の部材として示されている。
【００１３】
この係合片５２の室内側から見た幅は、図３及び図５に示すように、連結杆の案内長孔７の幅より小さく設定されており、また、受杆５の連結杆２に対する相対位置は、図２に実線で示すように連結杆２を扉内面に向けて倒したとき、水平な角度位置にある係合片５２が案内長孔７を潜り抜けることができるように設定されている。
【００１４】
なお、受杆５は扉内面にねじ止めされた台座９を介して扉１に装着されており、図示の実施例では、受杆５の嵌合部５３（図６参照）の外側に突設された係止爪５４を、台座の受け孔１１（図７参照）の周辺に形成された挿通切欠１２を潜り抜けさせてから回し、抜け止めとする。
【００１５】
その後受杆５の外端部にＥリング等の止め輪１３を嵌着する。止め輪１３を嵌着した後は、受杆５は嵌合部５３（図６参照）と受け孔１１との嵌合、及び嵌合部５３に連設されたフランジ５５（図６参照）と台座表面との摺接により回動可能に支承される。
【００１６】
ちなみに、受杆５はその外周面に９０度の角度間隔で形成された４つの平面部５６、５６（図６参照）、及び台座９の裏面側に形成された一対のばね溝１４、１４に挿入された（図８参照）細長い板ばね１５、１５との係合によってクリック作用が生じるように構成されている。
【００１７】
他方、図２及び図４に示すように、扉１には受杆の支軸５１と同軸にシリンダ錠１５が装着されており、このシリンダ錠の図示しない内筒が、後述する遊動クラッチを介して、支軸５１に連結されている。
【００１８】
すなわち、図９乃至図１１に示すように、シリンダ錠の内端部を覆うように装着された（図２及び図４参照）保持筒１６内にはクラッチ軸１７及びクラッチ盤１８を一体に結合したクラッチ体が回動可能に収納されている。
【００１９】
上記クラッチ軸１７の横断面が十字形の内端部は、外端面に同形の受け孔を凹設した（図８参照）支軸５１に相対回動を拘束された状態で挿入されている。
【００２０】
また、図１０及び図１１に示すように、クラッチ盤１８の外面には所謂ダルマ形の凹陥部１９が形成されており、この凹陥部１９にシリンダ錠の内筒の内端面に突設されたテールピース２１が遊動可能に係合している。
【００２１】
図９乃至図１１に示す遊動クラッチは通常のシリンダ錠のクラッチと同じ構造であるから、更に詳細な説明は省略する。
【００２２】
上記のように構成されたこの発明の一実施例による錠付ドアガードは、使用しないときには、従来のものと同様に、連結杆２を扉１から離間する方向に倒しておく（図２に鎖線で示す角度位置）。
【００２３】
或いは、受杆の係合片５２を水平にした状態で、図２に実線で示すように連結杆２を扉面に重合するように倒しておく。
【００２４】
何れの場合も、扉を開けるとき連結杆２と受杆５とは相互に干渉しないので、ドアガードは作動しない。
【００２５】
室内側からこの発明による錠付ドアガードを作動させるときには、例えば手指で係合片５２を水平にしてから図２に実線で示すように連結杆２を扉面側に倒して係合片５２に案内長孔７を潜らせ、その後図２に示すように、手指で係合片５２を鉛直な角度位置に置く。
【００２６】
この状態で扉１を開けると、図１２に示すように、また図２に鎖線で示すように、連結杆２と受杆の係合片５２とが係合した状態で、連結杆２を室外側に回動させる。
【００２７】
その為、扉１の開角度が小さく制限され、安全に来訪者の確認や郵便物の受け渡し等を行うことができる。
【００２８】
受杆５は遊動クラッチを介してシリンダ錠に連結されているから、シリンダ錠が施錠され、その内筒が外筒に係止されている状態でも手指による受杆の回動操作は可能である。
【００２９】
外出するときには、必要に応じて、受杆の係合片５２を手指で水平な角度位置に置き、その後連結杆を扉面に重合するように倒してから扉を開いて外に出て扉を閉める。
【００３０】
このとき、扉の開け閉めによって受杆の係合片５２は連結杆の案内長孔に入ったり出たりするだけで、両者が干渉することはない。
【００３１】
扉口通過後室外側からシリンダ錠に合鍵を挿入して内筒を所定の方向に回せば、係合片５２を室外側から操作して鉛直な角度位置に置くことができる。
【００３２】
このようにこの発明による錠付ドアガードを外出時作動状態にすれば、例え悪意の第三者がピッキングによってデッドボルト操作用の主シリンダ錠を不正解錠しても、扉を開けると前記したようにドアガードが作用し、扉の開角度が一定以下に制限されるので室内に侵入することができない。
【００３３】
一方、正規の合鍵を所有する居住者が帰宅後主シリンダ錠とドアガード制御用のシリンダ錠を解錠すれば、係合片は水平になって連結杆の案内長孔から干渉することなく抜去されるので、ドアガードの存在に拘らず扉を開けることができる。
【００３４】
【発明の効果】
以上の説明から明らかなように、この発明は、連結杆の案内長孔を潜り抜け可能な係合片を有する受杆の角度位置を遊動クラッチを介して扉面に装着されたシリンダ錠の内筒の連結し、連結杆と受杆との係脱を室外側から行えるようにしたので、外出時ドアガードを作動させればこれを一種の付加的な錠前として機能させることができ、扉口の錠前の安全性を各段に向上させることができる、という優れた効果を奏する。
【図面の簡単な説明】
【図１】従来のドアガードの構成の一例を示す外観斜視図。
【図２】この発明の一実施例による錠付ドアガードの平面図。
【図３】連結杆の正面図。
【図４】受杆及びその角度位置制御用のシリンダ錠の側面図。
【図５】受杆及び台座の正面図。
【図６】受杆の側面図。
【図７】台座の裏面図。
【図８】受杆を装着した状態における台座の裏面図。
【図９】遊動クラッチの内端面図。
【図１０】遊動クラッチの一部断面側面図。
【図１１】遊動クラッチの一部断面外端面図。
【図１２】この発明の一実施例によるドアガードの作動状態を示す斜視図で、扉及び扉枠を省略して示す。
【符号の説明】
１  扉
２  連結杆
３  扉枠
５  受杆
７  案内長孔
１５  シリンダ錠
１６  保持筒
１７  クラッチ軸
１８  クラッチ盤
５１  支軸
５２  係合片
【図１】
0004263319.tif 000002
【図２】
0004263319.tif 000003
【図３】
0004263319.tif 000004
【図４】
0004263319.tif 000005
【図５】
0004263319.tif 000006
【図６】
0004263319.tif 000007
【図７】
0004263319.tif 000008
【図８】
0004263319.tif 000009
【図９】
0004263319.tif 000010
【図１０】
0004263319.tif 000011
【図１１】
0004263319.tif 000012
【図１２】
0004263319.tif 000013